(57)【特許請求の範囲】
【請求項１】
エレベータの乗りかご天井に設けられたエレベータの天井照明装置において、
発光体が取付けられた天井板と、
前記天井板下方において前記天井板と離間して配置され、前記発光体からの光を前記乗りかご内に透過させる透光部を含む意匠面を有する天井ケースと、
前記天井板と前記天井ケースとの間で前記発光体を囲むように配置された側部ケースとを備え、
前記天井ケースと前記天井板とは、上下に延びる支柱を介して着脱自在に連結され、
前記天井ケースの前記意匠面は、前記支柱が取付けられた固定部と、前記固定部に回動自在に連結され、前記透光部が設けられた回動部とを有することを特徴とするエレベータの天井照明装置。
【請求項２】
前記天井ケースおよび前記側部ケースは、それぞれ複数の孔部を有し、前記天井ケースおよび前記側部ケースは、各孔部に挿入されたクリップを介して互いに着脱自在に連結されることを特徴とする請求項１記載のエレベータの天井照明装置。
【請求項３】
前記天井ケースの前記意匠面の前記固定部と前記回動部とが互いに水平な状態で、前記固定部と前記回動部との隙間が目地によって封止されていることを特徴とする請求項１記載のエレベータの天井照明装置。
【請求項４】
前記天井ケースの前記意匠面の前記固定部上に取っ手が取付けられていることを特徴とする請求項１記載のエレベータの天井照明装置。
【請求項５】
固定部と、前記固定部に回動自在に連結されるとともに透光部が設けられた回動部とを有する意匠面を有する天井ケースを運搬する天井ケース搬送台車において、
水平な台車本体と、
前記台車本体下面に設けられた車輪と、
前記台車本体上面から垂直に突出する突出部とを備え、
前記突出部は、前記天井ケースの前記意匠面の前記固定部に対応する上面と、前記天井ケースの前記意匠面の前記回動部に対応する側面とを有し、
前記突出部の上面および側面に、各々前記固定部および前記回動部を保護するための保護材が設けられていることを特徴とする天井ケース搬送台車。
【発明の詳細な説明】
【技術分野】
【０００１】
本発明は、エレベータの乗りかご天井に設けられたエレベータの天井照明装置、および天井照明装置の天井ケースを運搬する天井ケース搬送台車に係り、とりわけ乗りかご天井のリニューアル工事が容易に実施可能となるエレベータの天井照明装置および天井ケース搬送台車に関する。
【背景技術】
【０００２】
図８は、乗りかご天井に設けられた従来のエレベータの天井照明装置を示す図である。図８において、従来の天井照明装置１００は、ソケット１０４および蛍光灯１０５が取付けられた天井板１０１と、天井板１０１に蛍光灯１０５周囲を覆うように取付けられた薄板板金製のケース１０２と、ケース１０２に設けられアクリル等の光を透過する材料からなる意匠面１０３とを有している。このような天井照明装置１００は、製造工場で組立てられた後に出荷され、その後エレベータの設置工事の際に乗りかご内に取付けられる。
【特許文献１】特開２００４−１０２８０号公報
【発明の開示】
【発明が解決しようとする課題】
【０００３】
ところで、設置されてから一定程度年月が経過したエレベータに関し、近年乗りかご内の意匠をリニューアル工事したいというニーズが増加している。しかしながら、乗りかご内でケース１０２および意匠面１０３を天井板１０１から取り外し、その後新たなケース１０２および意匠面１０３を天井板１０１に取付けることは難しい。このため、従来の天井照明装置１００を含む乗りかご内の意匠をリニューアルしようとする場合、乗りかごを一旦解体し、その後、天井照明装置１００一式を載せ替えることが必要となる。このような作業は多大な作業時間を費やすとともに、この間長時間にわたりエレベータの稼動を停止させることになるので、利用者にとって極めて不便である。
【０００４】
本発明はこのような点を考慮してなされたものであり、乗りかご天井のリニューアル工事を容易に実施することができるエレベータの天井照明装置、および乗りかご天井のリニューアル工事の際、天井ケースを容易に運搬することができる天井ケース搬送台車を提供することを目的とする。
【課題を解決するための手段】
【０００５】
本発明は、エレベータの乗りかご天井に設けられたエレベータの天井照明装置において、発光体が取付けられた天井板と、前記天井板下方において前記天井板と離間して配置され、前記発光体からの光を前記乗りかご内に透過させる透光部を含む意匠面を有する天井ケースと、前記天井板と前記天井ケースとの間で前記発光体を囲むように配置された側部ケースとを備え、前記天井ケースと前記天井板とは、上下に延びる支柱を介して着脱自在に連結され、前記天井ケースの前記意匠面は、前記支柱が取付けられた固定部と、前記固定部に回動自在に連結され、前記透光部が設けられた回動部とを有することを特徴とするエレベータの天井照明装置である。
【０００７】
本発明は、前記天井ケースおよび前記側部ケースは、それぞれ複数の孔部を有し、前記天井ケースおよび前記側部ケースは、各孔部に挿入されたクリップを介して互いに着脱自在に連結されることを特徴とするエレベータの天井照明装置である。
【０００８】
本発明は、前記天井ケースの前記意匠面の前記固定部と前記回動部とが互いに水平な状態で、前記固定部と前記回動部との隙間が目地によって封止されていることを特徴とするエレベータの天井照明装置である。
【０００９】
本発明は、前記天井ケースの前記意匠面の前記固定部上に取っ手が取付けられていることを特徴とするエレベータの天井照明装置である。
【００１０】
本発明は、固定部と、前記固定部に回動自在に連結されるとともに透光部が設けられた回動部とを有する意匠面を有する天井ケースを運搬する天井ケース搬送台車において、水平な台車本体と、前記台車本体下面に設けられた車輪と、前記台車本体上面から垂直に突出する突出部とを備え、前記突出部は、前記天井ケースの前記意匠面の前記固定部に対応する上面と、前記天井ケースの前記意匠面の前記回動部に対応する側面とを有し、前記突出部の上面および側面に、各々前記固定部および前記回動部を保護するための保護材が設けられていることを特徴とする天井ケース搬送台車である。
【発明の効果】
【００１１】
本発明によれば、天井ケースと天井板とは、上下に延びる支柱を介して着脱自在に連結されているので、乗りかご天井のリニューアル工事の際、天井ケースを容易に交換することができる。
【００１２】
また、本発明によれば、天井ケースの意匠面は、支柱が取付けられた固定部と、固定部に回動自在に連結された回動部とを有するので、乗りかご天井のリニューアル工事の際、十分な工事スペースを確保することができる。すなわち天井ケースの意匠面の回動部を固定部に対して下方に回動させることにより、支柱を天井板から容易に取り外すことができる。
【００１３】
さらに、本発明によれば、天井ケースおよび側部ケースは、各孔部に挿入されたクリップを介して互いに着脱自在に連結されているので、工具等を使用することなく容易に側部ケースと天井ケースとを着脱することができる。
【００１４】
さらにまた、本発明によれば、天井ケースの意匠面の固定部と回動部とが互いに水平な状態で、固定部と回動部との隙間が目地によって封止されているので、発光体からの光が固定部と回動部との隙間から漏れることがない。
【００１５】
さらにまた、本発明によれば、天井ケースの意匠面の固定部上に取っ手が取付けられているので、天井のリニューアル工事の際、作業者が天井ケースを持ち上げて容易に天井ケースを交換することができる。
【００１６】
さらにまた、本発明によれば、天井ケース搬送台車の突出部の上面および側面に、各々固定部および回動部を保護するための保護材が設けられているので、天井ケースの意匠面を傷付けることなく容易に天井ケースを運搬することができる。
【発明を実施するための最良の形態】
【００１７】
第１の実施の形態
以下、本発明の第１の実施の形態について、図１乃至図５を参照して説明する。
ここで、図１は、エレベータシステムの全体構成を示す概略図であり、図２は、本発明によるエレベータの天井照明装置の分解斜視図である。また図３は、回動部を固定部に対して回動させた状態（垂直位置）における天井ケースの斜視図であり、図４（ａ）−（ｃ）は、それぞれ天井ケースの意匠面の各種構成を示す図（図２のＢ方向矢視図）であり、図５は、図２のＡ−Ａ線断面図である。
【００１８】
まず、図１により、エレベータシステムの全体構成について説明する。
図１に示すように、エレベータシステム１０は、建造物内に設けられた昇降路１１と、昇降路１１内に設けられた一対のガイドレール１９ａ、１９ｂと、この一対のガイドレール１９ａ、１９ｂに案内されて昇降路１１内を昇降する乗りかご１５と、乗りかご１５に連結されたつり合いおもり１６とを有している。
【００１９】
このうち昇降路１１の上部に機械室１２が設置されている。この機械室１２には巻上機１３ａが設置されており、乗りかご１５は、巻上機１３ａのメインシーブ１３に吊り下げられたメインロープ１４の一端に懸架されている。他方、つり合いおもり１６は、メインロープ１４の他端に懸架されている。乗りかご１５の下側およびつり合いおもり１６の下側には、昇降路１１下部に設けられたコンペンシーブ１７を介してコンペンロープ１８が取付けられている。このコンペンロープ１８は、乗りかご１５の位置によるメインロープ１４の質量の変化を打ち消す役割を果たす。
【００２０】
また乗りかご１５の前面に、左右方向に開閉する一対のドア１５Ｌ、１５Ｒが設けられ、さらに乗りかご１５の天井１５ａに、以下に説明する天井照明装置２０が設けられている。
【００２１】
次に、図２乃至図４により、エレベータの天井照明装置の構成について説明する。
図２に示すように、天井照明装置２０は、例えば蛍光灯からなる発光体２５ａ、２５ｂが取付けられた天井板２３と、天井板２３下方において天井板２３と離間して配置された天井ケース２７とを備えている。
【００２２】
このうち天井板２３は、乗りかご１５の内面形状に対応する矩形形状の薄板鋼板２１と、薄板鋼板２１に接合された断面Ｌ字形状の複数の補強部材２２ａ−２２ｈとを有している。このうち補強部材２２ｇに締結穴４４ａ、４４ｂが穿設され、補強部材２２ｈに締結穴４４ｃ、４４ｄが穿設されている。また薄板鋼板２１の下面に蛍光灯ソケット２４ａ−２４ｄが設けられ、このうち一対の蛍光灯ソケット２４ａ、２４ｂに発光体２５ａが取付けられるとともに、他の一対の蛍光灯ソケット２４ｃ、２４ｄに発光体２５ｂが取付けられている。
【００２３】
一方、天井ケース２７は、発光体２５ａ、２５ｂからの光を乗りかご１５内に透過させる透光部４３ａ、４３ｂを含む意匠面４２を有している。この意匠面４２は、上下に延びる一対の支柱３０ａ、３０ｂが取付けられた固定部２８と、固定部２８の長手方向側部にそれぞれ蝶番３２ａ−３２ｄを介して連結された一対の回動部３１ａ、３１ｂとを有している。このうち一方の回動部３１ａに上述した透光部４３ａが設けられ、他方の回動部３１ｂに上述した透光部４３ｂが設けられている。この回動部３１ａ、３１ｂは、それぞれ固定部２８に対して回動自在に連結されており、回動部３１ａ、３１ｂと固定部２８とが水平に並ぶ水平位置（図２参照）と、各回動部３１ａ、３１ｂが固定部２８に対して垂直となる垂直位置（図３参照）とをとることができる。
【００２４】
また意匠面４２の固定部２８上に、天井ケース２７を運搬するための一対の取っ手３９ａ、３９ｂが取付けられている。さらに意匠面４２の外周には、上方に折曲げられた側端部４５ａ−４５ｄが形成され、この側端部４５ａ−４５ｄに、それぞれクリップ３５ａ、３５ｂ、・・・を挿入可能な複数の孔部３４ａ、３４ｂ、・・・が等間隔に設けられている。
【００２５】
天井ケース２７と天井板２３とは、支柱３０ａ、３０ｂを介して着脱自在に連結されている。すなわち支柱３０ａ、３０ｂは、それぞれ両端が直角に曲げ加工されるとともに、上端にＵ字形の切欠３７ａ−３７ｄが形成されている。すなわち切欠３７ａ−３７ｄと締結穴４４ａ−４４ｄとを例えばボルト、ねじ等からなる締結部材４６により連結することにより、天井ケース２７と天井板２３とが着脱自在に連結される。
【００２６】
さらに、天井板２３と天井ケース２７との間に、発光体２５ａ、２５ｂを囲むように側部ケース２６が配置されている。側部ケース２６は、天井板２３下面に取付けられるとともに、４つの側面２６ａ−２６ｄを有している。これら各側面２６ａ−２６ｄに、それぞれクリップ３５ａ、３５ｂ、・・・を挿入可能な複数の孔部３６ａ、３６ｂ、・・・が等間隔に設けられている。この各孔部３６ａ、３６ｂ、・・・は、それぞれ天井ケース２７の孔部３４ａ、３４ｂ、・・・に対応する位置に設けられている。すなわち天井ケース２７は、側部ケース２６の孔部３６ａ、３６ｂ、・・・および天井ケース２７の孔部３４ａ、３４ｂ、・・・に挿入されたクリップ３５ａ、３５ｂ、・・・を介して、側部ケース２６に着脱自在に連結されている。
【００２７】
なお図４（ａ）−（ｃ）に示すように、天井ケース２７の意匠面４２の構成として、様々なバリエーションのものが考えられる。例えば透光部４３ａ、４３ｂが各々回動部３１ａ、３１ｂ全域に広がる矩形形状部分から構成されるもの（図４（ａ））、透光部４３ａ、４３ｂが各々複数の細長い片から構成されるもの（図４（ｂ））、透光部４３ａ、４３ｂが各々複数の円形形状部分から構成されるもの（図４（ｃ））等が挙げられる。
【００２８】
次に、このような構成からなる本実施の形態の作用について述べる。
初めに、乗りかご天井１５ａのリニューアル工事を行なう際に、天井ケース２７を取り外す際の作用について説明する。
【００２９】
まず、各クリップ３５ａ、３５ｂ、・・・を天井ケース２７の孔部３４ａ、３４ｂ、・・・および側部ケース２６の孔部３６ａ、３６ｂ、・・・から取り外す。この際、天井ケース２７の意匠面４２の回動部３１ａ、３１ｂは、それぞれ固定部２８に対して自重で下方に回動し、図３に示す垂直位置へと移動する。
【００３０】
次に、締結部材４６を取り外し、各支柱３０ａ、３０ｂを天井板２３の補強部材２２ｇ、２２ｈから取り外す。これにより、天井ケース２７は天井板２３から取り外される。その後、天井ケース２７を乗りかご１５から乗り場へと搬出する。この際、天井ケース２７の意匠面４２の固定部２８上に一対の取っ手３９ａ、３９ｂが設けられているので、天井ケース２７を安全かつ容易に運搬することができる。
【００３１】
次に、天井ケース２７を取り外した後、新しい天井ケース２７を取付ける際の作用について説明する。
【００３２】
まず新しい天井ケース２７を準備し、この天井ケース２７を乗り場から乗りかご１５内へ搬入する。次いで、一対の取っ手３９ａ、３９ｂを把持し、天井ケース２７を上方へ持上げて天井板２３側へ移動させる。次に、締結部材４６により各支柱３０ａ、３０ｂを天井板２３の補強部材２２ｇ、２２ｈに取付ける。このようにして支柱３０ａ、３０ｂを介して天井ケース２７が天井板２３に連結される。この際、天井ケース２７の意匠面４２の回動部３１ａ、３１ｂは、図３に示すような垂直位置にある。
【００３３】
次に、各回動部３１ａ、３１ｂを上方へ回動させ、図２に示す水平位置へと移動する。この状態で側部ケース２６の孔部３６ａ、３６ｂ、・・・と天井ケース２７の孔部３４ａ、３４ｂ、・・・とを各クリップ３５ａ、３５ｂ、・・・により連結する。この際、各クリップ３５ａ、３５ｂ、・・・を嵌め込むだけで良いので、工具を使用する必要がなく、とりわけ側部ケース２６周囲と乗りかご１５の側板と間のスペースが狭い場合に有利である。これにより、天井ケース２７および側部ケース２６は互いに連結され、各回動部３１ａ、３１ｂは、固定部２８に対して水平な位置に保持される。
【００３４】
このようにして、乗りかご天井１５ａのリニューアル工事の際、天井ケース２７を交換することができる。
【００３５】
その後、天井ケース２７の意匠面４２の固定部２８と各回動部３１ａ、３１ｂとが互いに水平な状態（図２に示す水平位置）で、固定部２８と各回動部３１ａ、３１ｂとの隙間４７ａ、４７ｂを目地３８ａ、３８ｂによって適宜封止することが好ましい（図５参照）。
【００３６】
このように本実施の形態によれば、天井ケース２７と天井板２３とは、上下に延びる支柱３０ａ、３０ｂを介して締結部材４６により着脱自在に連結されているので、乗りかご天井１５ａのリニューアル工事の際、天井ケース２７を容易に交換することができる。
【００３７】
また、本実施の形態によれば、天井ケース２７の意匠面４２は、支柱３０ａ、３０ｂが取付けられた固定部２８と、固定部２８に回動自在に連結された回動部３１ａ、３１ｂとを有するので、乗りかご天井１５ａのリニューアル工事の際、十分な工事スペースを確保することができる。すなわち天井ケース２７の意匠面４２の回動部３１ａ、３１ｂを固定部２８に対して下方に回動させて垂直位置とすることにより、支柱３０ａ、３０ｂを天井板２３から取り外す作業を容易に実施することができる。
【００３８】
さらに、本実施の形態によれば、天井ケース２７および側部ケース２６は、各孔部３４ａ、３４ｂ、・・・、各孔部３６ａ、３６ｂ、・・・に挿入されたクリップ３５ａ、３５ｂ、・・・を介して互いに着脱自在に連結されるので、側部ケース２６と天井ケース２７とを工具等を使用することなく容易に着脱することができる。
【００３９】
さらにまた、本実施の形態によれば、天井ケース２７の意匠面４２の固定部２８と回動部３１ａ、３１ｂとが互いに水平な状態で、固定部２８と回動部３１ａ、３１ｂとの隙間４７ａ、４７ｂが目地３８ａ、３８ｂによって封止されているので、発光体２５ａ、２５ｂからの光が、固定部２８と回動部３１ａ、３１ｂとの隙間４７ａ、４７ｂから漏れることがない。
【００４０】
さらにまた、本実施の形態によれば、天井ケース２７の意匠面４２の固定部２８上に取っ手３９ａ、３９ｂが取付けられているので、天井１５ａのリニューアル工事の際、作業者が天井ケース２７を持ち上げて容易に天井ケース２７を交換することができる。
【００４１】
第２の実施の形態
次に図６および図７により本発明の第２の実施の形態について説明する。
図６は、本発明による天井ケース搬送台車および天井ケースを示す斜視図であり、図７は、天井ケース搬送台車および天井ケースを示す側面図（図６のＣ方向矢視図）である。図６および図７に示す第２の実施の形態において、図１乃至図５に示す第１の実施の形態と同一部分には同一の符号を付して詳細な説明は省略する。
【００４２】
図６乃至図７において、天井ケース搬送台車４０は、上述した天井ケース２７を運搬するものである。すなわち天井ケース２７は意匠面４２を有し、意匠面４２は、固定部２８と、固定部２８に回動自在に連結されるとともに透光部４３ａ、４３ｂが設けられた回動部３１ａ、３１ｂとを有している。
【００４３】
このような天井ケース搬送台車４０は、水平な台車本体４１と、台車本体４１下面に設けられた車輪４８ａ−４８ｄと、台車本体４１上面から垂直に突出する突出部４９とを備えている。このうち突出部４９は、天井ケース２７の意匠面４２の固定部２８に対応する上面４９ａと、天井ケース２７の意匠面４２の回動部３１ａ、３１ｂに各々対応する一対の側面４９ｂ、４９ｃとを有している。また突出部４９の上面４９ａおよび側面４９ｂ、４９ｃに、各々固定部２８および回動部３１ａ、３１ｂを保護するためのクッション材等からなる保護材５０が設けられている。
【００４４】
次に、このような構成からなる本実施の形態の作用について述べる。
まず製造工場から天井ケース２７を出荷する際、天井ケース２７の意匠面４２の回動部３１ａ、３１ｂを垂直位置とし、この状態で天井ケース２７を天井ケース搬送台車４０に載置する。この際天井ケース２７の意匠面４２の固定部２８および回動部３１ａ、３１ｂに、天井ケース搬送台車４０の保護材５０が当接するので、固定部２８および回動部３１ａ、３１ｂが保護される。
【００４５】
次に、天井ケース搬送台車４０とともに天井ケース２７を運搬し、リニューアル工事を行なうエレベータの乗りかご１５内に搬入する。次に、一対の取っ手３９ａ、３９ｂを持って天井ケース２７を上方へ持ち上げ、天井ケース２７を天井板２３に連結する。
【００４６】
このように本実施の形態によれば、天井ケース搬送台車４０の突出部４９の上面４９ａおよび側面４９ｂ、４９ｃに、各々固定部２８および回動部３１ａ、３１ｂを保護するための保護材５０が設けられているので、天井ケース２７の意匠面４２を傷付けることなく安全かつ容易に天井ケース２７を運搬することができる。
【図面の簡単な説明】
【００４７】
【図１】図１は、エレベータシステムの全体構成を示す概略図。
【図２】図２は、本発明によるエレベータの天井照明装置の分解斜視図。
【図３】図３は、回動部を固定部に対して回動させた状態（垂直位置）を示す天井ケースの斜視図。
【図４】図４（ａ）−（ｃ）は、それぞれ天井ケースの意匠面の各種構成を示す図。
【図５】図５は、図２のＡ−Ａ線断面図。
【図６】図６は、本発明による天井ケース搬送台車を示す斜視図。
【図７】図７は、本発明による天井ケース搬送台車を示す側面図。
【図８】図８は、従来のエレベータの天井照明装置を示す図。
【符号の説明】
【００４８】
１０        エレベータシステム
１１        昇降路
１５        乗りかご
１５ａ      天井
２０        天井照明装置
２３        天井板
２５ａ、２５ｂ  発光体
２６        側部ケース
２７        天井ケース
２８        固定部
３０ａ、３０ｂ  支柱
３１ａ、３１ｂ  回動部
３４ａ、３４ｂ、・・・  孔部
３５ａ、３５ｂ、・・・  クリップ
３６ａ、３６ｂ、・・・  孔部
３８ａ、３８ｂ  目地
３９ａ、３９ｂ  取っ手
４０        天井ケース搬送台車
４１        台車本体
４２        意匠面
４３ａ、４３ｂ  透光部
４８ａ−４８ｄ  車輪
４９        突出部
５０        保護材
【図１】
0005057461.tif 000002
【図２】
0005057461.tif 000003
【図３】
0005057461.tif 000004
【図４】
0005057461.tif 000005
【図５】
0005057461.tif 000006
【図６】
0005057461.tif 000007
【図７】
0005057461.tif 000008
【図８】
0005057461.tif 000009